(57)【要約】【課題】コントローラ及びスイッチの負担を軽減し、さらにトラフィックの増加をなくす。【解決手段】通信ネットワークにスイッチが接続されると、それをトリガーとして、スイッチがＩＰアドレスに自分のＭＡＣアドレスを付加して前記コントローラに送信することにより、１台のコントローラは通信ネットワークに接続された複数のスイッチの情報であるトポロジ情報を得ることになる。このため、前記コントローラは複数のスイッチに対して逐次トポロジ検索を行う必要がなく、コントローラ及びスイッチの負担を軽減することができるばかりでなく、トポロジ検索に伴うトラフィックの増加をなくすることができる。さらに、前記１台のコントローラが複数のスイッチに関するトポロジ情報を確保しているため、スイッチ相互間でのポート情報のパケット転送を実施する必要がなく、前記ポート情報のパケット転送に伴うトラフィックの増加なくすことができる。【選択図】図１
2015192263.tif 000002
【特許請求の範囲】
【請求項１】
データ転送の機能を複数のスイッチ、前記スイッチによるデータ転送先への経路制御の機能を１台のコントローラにそれぞれ分離したデータ通信ネットワークシステムにおいて、
前記スイッチは、通信ネットワークを形成するための情報を前記コントローラに発信する発信部を有し、
前記１台のコントローラは、前記スイッチから発信された前記情報をトポロジ情報として予め取得する情報取得部と、前記情報取得部が予め取得した前記トポロジ情報を記憶して置く記憶部と、経由すべきスイッチの経由情報を前記トポロジ情報に基づいて前記スイッチに出力する通知部とを有することを特徴とするデータ通信ネットワークシステム。
【請求項２】
前記トポロジ情報は、前記通信ネットワークに接続された前記複数のスイッチを経由すべき情報であることを特徴とする請求項１に記載のデータ通信ネットワークシステム。
【請求項３】
前記通知部は、前記トポロジ情報に基づいて前記複数のスイッチに一方向で至る前記経由情報を前記スイッチに出力することを特徴とする請求項１又は２に記載のデータ通信ネットワークシステム。
【請求項４】
前記通知部は、前記トポロジ情報に基づいて前記複数のスイッチに方向性を問わずに至る前記経由情報を前記スイッチに出力することを特徴とする請求項１又は２に記載のデータ通信ネットワークシステム。
【請求項５】
前記スイッチの相互間を接続した通信ネットワーク上でのトラフィック量を監視する監視部を有し、
前記通知部は、前記監視部が監視しているトラフィック量の情報を前記トポロジ情報に加え前記トラフィック量に応じて前記複数のスイッチに至る前記経由情報を組み替えて前記スイッチに出力することを特徴とする請求項１に記載のデータ通信ネットワークシステム。
【請求項６】
前記スイッチの相互間の距離情報を監視する監視部を有し、
前記通知部は、前記監視部が監視している距離情報を前記トポロジ情報に加え前記トラフィック量に応じて前記複数のスイッチに至る前記経由情報を組み替えて前記スイッチに出力することを特徴とする請求項１に記載のデータ通信ネットワークシステム。
【請求項７】
データ転送の機能を複数のスイッチ、前記スイッチによるデータ転送先への経路制御の機能を１台のコントローラにそれぞれ分離してデータの転送を行うデータ通信方法において、
前記スイッチから前記１台のコントローラに向けて通信ネットワークを形成するための情報を発信し、
前記コントローラにおいて、前記スイッチから発信された前記情報をトポロジ情報として予め取得し、前記予め取得して記憶しているトポロジ情報に基づいて、経由すべきスイッチの経由情報を前記スイッチに出力することを特徴とするデータ通信方法。
【請求項８】
前記トポロジ情報は、前記通信ネットワークに接続された前記複数のスイッチを経由すべき情報であることを特徴とする請求項７に記載のデータ通信方法。
【請求項９】
前記スイッチの相互間を接続した通信ネットワーク上でのトラフィック量を監視し、
前記監視しているトラフィック量の情報を前記トポロジ情報に加え前記トラフィック量に応じて前記複数のスイッチに至る前記経由情報を組み替えて前記スイッチに出力することを特徴とする請求項７に記載のデータ通信方法。
【請求項１０】
前記トポロジ情報に基づいて前記全てのスイッチに至る最短の経由情報を前記スイッチに出力することを特徴とする請求項７に記載のデータ通信方法。
【発明の詳細な説明】
【技術分野】
【０００１】
本発明は、通信ネットワークを構成する通信機器を単一のソフトウェアによって集中的に制御し、ネットワークの構造や構成、設定などを柔軟に、動的に変更することを可能とした通信ネットワークシステムにおいて、従来、採用されているトポロジ検索（ＬＬＤＰ：Ｌｉｎｋ  Ｌａｙｅｒ  Ｄｉｓｃｏｖｅｒｙ  Ｐｒｏｔｏｃｏｌ）を使用せず、トポロジ情報を取得して経路制御を実施するデータ通信ネットワークシステム及びデータ通信方法に関する。
【背景技術】
【０００２】
特許文献１には、ＯｐｅｎＦｌｏｗ（登録商標）ネットワーク等において、スイッチ間設定通知機能を定義することで、ネットワークに新たに追加されたスイッチが、ネットワークに既に追加されているスイッチに対してコントローラのＩＰアドレスを含む設定情報の問い合わせを一定間隔で行い、その後、他のスイッチからコントローラのＩＰアドレスを含む設定情報が通知されることで、その設定情報を受信したスイッチ自身が設定情報を選択し決定する構成が開示されている。スイッチ、コントローラの識別情報としてＩＰアドレスを使用しており、コントローラとスイッチ間で問い合せと応答のパケット送信を行っている。
【先行技術文献】
【特許文献】
【０００３】
【特許文献１】特開２０１３−１４３６９８号公報
【発明の概要】
【発明が解決しようとする課題】
【０００４】
特許文献１に開示されたオープンフローネットワーク等においては、ネットワークにスイッチが新たに追加されることを想定しているから、一定間隔（例えば３０秒毎）にコントローラから複数のスイッチに問い合わせを行い、コントローラは複数のスイッチから各スイッチのＩＰアドレス，ＭＡＣアドレスなどの識別情報を取得し、リアルタイムで複数のスイッチによる経路制御を実施する必要がある。
【０００５】
上述したように、従来はトポロジ検索を短時間毎に逐次実施しているため、コントローラの負担が増加するばかりではなく、トポロジ検索を複数のスイッチに対して逐次実施するため、スイッチ相互間及びコントローラとスイッチとの相互間におけるトラフィックが増加してしまうという課題があった。
【０００６】
さらには、スイッチ相互間においてパケット転送のポート情報を遣り取りする必要があり、これに伴ってトラフィックが増加するという課題があった。
【０００７】
本発明の目的は、コントローラの負担を軽減し、さらにトポロジ検索に伴うトラフィックの増加及びスイッチ相互間でのポート情報のパケット転送に伴うトラフィックの増加をなくすことができるデータ通信ネットワークシステム及びデータ通信方法を提供することにある。
【課題を解決するための手段】
【０００８】
前記目的を達成するため、本発明に係るデータ通信ネットワークシステムはデータ転送の機能を複数のスイッチ、前記スイッチによるデータ転送先への経路制御の機能を１台のコントローラにそれぞれ分離したデータ通信ネットワークシステムにおいて、前記スイッチは、通信ネットワークを形成するための情報を前記コントローラに発信する発信部を有し、前記１台のコントローラは、前記スイッチから発信された前記情報をトポロジ情報として予め取得する情報取得部と、前記情報取得部が予め取得した前記トポロジ情報を記憶して置く記憶部と、経由すべきスイッチの経由情報を前記トポロジ情報に基づいて前記スイッチに出力する通知部とを有することを特徴とするものである。
【０００９】
前記トポロジ情報は、前記通信ネットワークに接続された前記複数のスイッチを経由すべき情報であることを特徴とするものである。
【００１０】
前記通知部は、前記トポロジ情報に基づいて前記複数のスイッチに一方向で至る前記経由情報を前記スイッチに出力することを特徴とするものである。
【００１１】
前記通知部は、前記トポロジ情報に基づいて前記複数のスイッチに方向性を問わずに至る前記経由情報を前記スイッチに出力することを特徴とするものである。
【００１２】
前記スイッチの相互間を接続した通信ネットワーク上でのトラフィック量を監視する監視部を有し、前記通知部は、前記監視部が監視しているトラフィック量の情報を前記トポロジ情報に加え前記トラフィック量に応じて前記複数のスイッチに至る前記経由情報を組み替えて前記スイッチに出力することを特徴とするものである。
【００１３】
前記スイッチの相互間の距離情報を監視する監視部を有し、前記通知部は、前記監視部が監視している距離情報を前記トポロジ情報に加え前記トラフィック量に応じて前記複数のスイッチに至る前記経由情報を組み替えて前記スイッチに出力することを特徴とするものである。
【００１４】
本発明に係るデータ通信方法は、データ転送の機能を複数のスイッチ、前記スイッチによるデータ転送先への経路制御の機能を１台のコントローラにそれぞれ分離してデータの転送を行うデータ通信方法において、前記スイッチから前記コントローラに向けて通信ネットワークを形成するための情報を発信し、前記１台のコントローラにおいて、前記スイッチから発信された前記情報をトポロジ情報として予め取得し、前記予め取得して記憶しているトポロジ情報に基づいて、経由すべきスイッチの経由情報を前記スイッチに出力することを特徴とするデータ通信方法。
【００１５】
前記トポロジ情報は、前記通信ネットワークに接続された前記複数のスイッチを経由すべき情報であることを特徴とするものである。
【００１６】
前記スイッチの相互間を接続した通信ネットワーク上でのトラフィック量を監視し、
前記監視しているトラフィック量の情報を前記トポロジ情報に加え前記トラフィック量に応じて前記複数のスイッチに至る前記経由情報を組み替えて前記スイッチに出力することを特徴とするものである。
【００１７】
前記トポロジ情報に基づいて前記複数のスイッチに至る最短の経由情報を前記スイッチに出力することを特徴とするものである。
【発明の効果】
【００１８】
以上のように、本発明によれば、１台のコントローラは当初スイッチの情報を何ら持っておらず、通信ネットワークにスイッチが接続されると、それをトリガーとして、スイッチがＩＰアドレスに自分のＭＡＣアドレスを付加して前記コントローラに送信することにより、前記コントローラは通信ネットワークに接続された複数のスイッチの情報であるトポロジ情報を得ることになる。
【００１９】
このため、前記１台のコントローラは複数のスイッチに対して逐次トポロジ検索を行う必要がなく、コントローラの負担を軽減することができるばかりでなく、トポロジ検索に伴うトラフィックの増加をなくすることができる。
【００２０】
さらに、前記１台のコントローラが複数のスイッチに関するトポロジ情報を確保しているため、スイッチ相互間でポート情報をパケット転送する必要がなく、前記ポート情報のパケット転送に伴うトラフィックの増加をなくすことができるという効果を有するものである。
【図面の簡単な説明】
【００２１】
【図１】本発明の実施形態１に係るデータ通信ネットワークシステムにおける１台のコントローラと通信ネットワークに接続された複数のスイッチと各スイッチの配下に位置する端末との関係を示すシステム図である。
【図２】（Ａ）は１台のコントローラの詳細を示す構成図、（Ｂ）は複数のスイッチの詳細を示す構成図である。
【図３】本発明の実施形態において複数のスイッチの上であるトポロジ情報を取得する過程を示すフロー図である。
【図４】本発明の実施形態において取得したトポロジ情報に基づいてコントローラがデータ転送の経路制御を実施する過程を示すフロー図である。
【図５】複数のスイッチにおけるデータ転送を実施する過程を示すフロー図である。
【図６】図２（Ａ）のコントローラに監視部を設けた例を示す構成図である。
【発明を実施するための形態】
【００２２】
以下、本発明の実施形態を図に基づいて詳細に説明する。
【００２３】
本発明は図１に示すように、１台のコントローラ１は当初スイッチ３の情報を何ら持っておらず、通信ネットワーク２にスイッチ３が接続されると、それをトリガーとして、スイッチ３がＩＰアドレスに自分のＭＡＣアドレスを付加して前記コントローラ１に送信することにより、前記コントローラ１は通信ネットワーク２に接続された複数のスイッチ３の情報であるトポロジ情報を得るものであり、前記コントローラ１は前記トポロジ情報を確保しておき、そのトポロジ情報に基づいて複数のスイッチ３によるデータ転送の経路制御を行うことを特徴とするものである。
【００２４】
［実施形態１］
具体的に説明すると、本発明の実施形態に係るデータ通信ネットワークシステムはデータ転送の機能を複数のスイッチ３、前記スイッチ３によるデータ転送先への経路制御の機能を１台のコントローラ１にそれぞれ分離したデータ通信ネットワークシステムを対象とするものであり、前記スイッチ３は図２（Ｂ）に示すように、通信ネットワーク２を形成するための情報を前記コントローラ１に発信する発信部２２を有し、前記１台のコントローラ１は、前記スイッチ３から発信された前記情報をトポロジ情報として予め取得する情報取得部１２と、前記情報取得部１２が予め取得した前記トポロジ情報を記憶して置く記憶部１３と、経由すべきスイッチ３の経由情報を前記トポロジ情報に基づいて前記スイッチ３に出力する通知部１４とを有することを特徴とするものである。
【００２５】
さらに前記スイッチ３は図２（Ｂ）に示すように、前記コントローラ１の前記通知部１４から通知されるデータ転送先の情報を一時的に記憶しておく記憶部２３と、前記データ転送先の情報に基づいてデータ転送を行うデータ転送部２４とを有しており、前記スイッチ３は図１に示すように、その配下に複数の端末２９を有している。
【００２６】
前記コントローラ１の前記情報取得部１２，前記記憶部１３及び前記通知部１４は制御部１１により制御される。前記スイッチ３の前記発信部２２，前記記憶部２３及び前記データ転送部２４は制御部２１により制御される。
【００２７】
［トポロジ情報の取得処理］
次に、１台のコントローラ１が複数のスイッチ３に関する情報であるトポロジ情報を取得する過程を図３に基づいて説明する。
【００２８】
１台のコントローラ１は当初スイッチ３の情報を何ら持っておらず、図１に示すようにスイッチ３が通信ネットワーク２に接続されると、その都度スイッチ３に関するトポロジ情報を取得したか否かを判断する（ステップＳ１）。１台のコントローラ１はスイッチ３が通信ネットワーク２に接続された際にそのスイッチ３からトポロジ情報が送信されるまで待機する（ステップＳ１のＮＯ、ステップＳ２）。
【００２９】
図１に示すようにスイッチ３が通信ネットワーク２に接続された際、それをトリガーとしてスイッチ３が図２（Ｂ）の発信部２２からＩＰアドレスに自分のＭＡＣアドレスを付加して前記コントローラ１に送信する。これにより、１台のコントローラ１は通信ネットワーク２に接続されたスイッチ３に関するトポロジ情報を図２（Ａ）の情報取得部１２で取得し（ステップＳ１のＹＥＳ）、そのトポロジ情報を図２（Ａ）の記憶部１３に記憶する。１台のコントローラ１は通信ネットワーク２に接続された複数のスイッチ３からスイッチ３毎のトポロジ情報を取得し、それらのトポロジ情報を図２（Ａ）の記憶部１３に記憶する。１台のコントローラ１は通信ネットワーク２に接続された複数のスイッチ３からトポロジ情報を取得すると、これらのトポロジ情報を通信ネットワーク２に接続された複数のスイッチ３を経由すべき情報として図２（Ａ）の記憶部１３に記憶し、このトポロジ情報を１台のコントローラ１のみが確保している。
【００３０】
次に、１台のコントローラ１は、トポロジ情報の取得が完了したスイッチ３に対してそのスイッチ３の配下に位置する複数の端末２９の端末情報をスイッチ３に問い合わせ、その端末情報を取得するまで待機する（ステップＳ３，Ｓ４）。
【００３１】
通信ネットワーク２に接続されたスイッチ３は配下の端末２９に関する端末情報を取得すると、その端末情報を図２（Ｂ）の発信部２２で１台のコントローラ１に通知する（ステップＳ５）。
【００３２】
１台のコントローラ１は通信ネットワーク２に接続されたスイッチ３から端末情報を図２（Ａ）の情報取得部１２で取得すると、前記取得したトポロジ情報に対応させて前記端末情報を図２（Ａ）の記憶部１３に記憶する。
【００３３】
［トポロジ情報に基づく経路制御］
１台のコントローラ１は図４のステップＳ１１〜Ｓ１４までの処理により通信ネットワーク２に接続されたスイッチ３に関するトポロジ情報を取得し、且つそのスイッチ３の配下の端末２９の端末情報を前記通信ネットワーク２に接続されたスイッチ３から取得すると、取得したトポロジ情報に端末情報をスイッチ３毎に対応させて記憶部１３に記憶させ、スイッチ３からの問い合わせがあるまで待機する。
【００３４】
スイッチ３からデータ転送先の問合せがあると（ステップＳ１５）、１台のコントローラ１は、スイッチ３からの問合せに対応してトポロジ情報に端末情報を加えてデータ転送先の経由情報を決定し（ステップＳ１６）、その経由先のスイッチ３に関する情報を図２（Ａ）の記憶部１３に記憶する（ステップＳ１７）とともに、その経由先情報を問合せ先のスイッチ３に図２（Ａ）の通知部１４で通知する（ステップＳ１８）。
【００３５】
次に、１台のコントローラ１が確保しているトポロジ情報に基づいて複数のスイッチ３（スイッチＳＷ１〜スイッチＳＷ６）を経由する経由情報を決定する過程を図１に基づいて説明する。図１に示す通信ネットワークシステム２は、スイッチＳＷ１のポートＰ１１にスイッチＳＷ２のポートＰ２１を接続し、スイッチＳＷ１のポートＰ１２にスイッチＳＷ３のポートＰ３１を接続している。スイッチＳＷ３のポートＰ３４にスイッチＳＷ６のポートＰ６１、スイッチＳＷ３のポートＰ３２にスイッチＳＷ２のポートＰ２２、スイッチＳＷ３のポートＰ３３にスイッチＳＷ５のポートＰ５２をそれぞれ接続している。スイッチＳＷ６のポートＰ６２にスイッチＳＷ５のポートＰ５４を接続している。スイッチＳＷ５のポートＰ５１にスイッチＳＷ２のポートＰ２４、スイッチＳＷ５のスイッチＰ５３のポートＰ５３にスイッチＳＷ４のポートＰ４２を接即している。スイッチＳＷ４のポートＰ４１にスイッチＳＷ２のポートＰ２３を接続している。
【００３６】
そして、各スイッチＳＷ１〜ＳＷ６の配下に複数の端末２９をそれぞれ有している。
【００３７】
１台のコントローラ１は前記トポロジ情報に基づいて前記複数のスイッチＳＷ１〜ＳＷ６に至る経由情報をスイッチＳＷ１〜ＳＷ６に出力する。図１に示す複数のスイッチ３を経由する経由情報について、１台のコントローラ１は図２（Ａ）の通知部１４から問合せがあったスイッチ２に複数のスイッチＳＷ１〜ＳＷ６に一方向で至る経由情報を通知する。具体的には、１台のコントローラ１はスイッチＳＷ１からの問合せに基づいて次のデータ転送先のスイッチＳＷ３の情報スイッチＳＷ１に出力する。スイッチＳＷ３からの問合せに対応して、１台のコントローラ１はスイッチＳＷ３に次のデータ転送先のスイッチＳＷ６の情報を出力する。スイッチＳＷ６からの問合せに対応して、１台のコントローラ１はスイッチＳＷ６に次のデータ転送先のスイッチＳＷ５の情報を出力する。スイッチＳＷ５からの問合せに対応して、１台のコントローラ１はスイッチＳＷ５に次のデータ転送先のスイッチＳＷ４の情報を出力する。スイッチＳＷ４からの問合せに対応して、１台のコントローラ１はスイッチＳＷ４に次のデータ転送先のスイッチＳＷ２の情報を出力する。スイッチＳＷ２からの問合せに対応して、１台のコントローラ１はスイッチＳＷ２に次のデータ転送先のスイッチＳＷ５の情報を出力する。スイッチＳＷ５からの問合せに対応して、１台のコントローラ１はスイッチＳＷ５に次のデータ転送先のスイッチＳＷ３の情報を出力する。スイッチＳＷ３からの問合せに対応して、１台のコントローラ１はスイッチＳＷ３に次のデータ転送先のスイッチＳＷ２の情報を出力する。スイッチＳＷ２からの問合せに対応して、１台のコントローラ１はスイッチＳＷ２に次のデータ転送先のスイッチＳＷ１の情報を出力する。
【００３８】
以上のように、１台のコントローラ１はトポロジ情報に基づいてスイッチＳＷ１からスイッチＳＷ６に至るデータ転送先の経由情報を問合せ先のスイッチＳＷ１〜ＳＷ６に出力し、データ転送が行われる。
【００３９】
図１では、１台のコントローラ１は図２（Ａ）の通知部１４から問合せがあったスイッチ２に複数のスイッチＳＷ１〜ＳＷ６に一方向で至る経由情報を通知する例を説明したが、これに限られるものではない。すなわち、１台のコントローラ１は図２（Ａ）の通知部１４から、前記トポロジ情報に基づいて前記複数のスイッチＳＷ１〜ＳＷ６に方向性を問わずに至る前記経由情報を前記スイッチＳＷ１〜ＳＷ６に出力するようにしてもよいものである。
【００４０】
具体的には、隣接するスイッチＳＷ１とスイッチＳＷ３或いはスイッチＳＷ２、隣接するスイッチＳＷ３とスイッチＳＷ１或いはスイッチＳＷ６、隣接するスイッチＳＷ６とスイッチＳＷ３或いはスイッチＳＷ５、隣接するスイッチＳＷ５とスイッチＳＷ６或いはスイッチＳＷ３或いはスイッチＳＷ３或いはスイッチＳＷ２或いはスイッチＳＷ４、隣接するスイッチＳＷ４とスイッチＳＷ２、隣接するスイッチＳＷ２とスイッチＳＷ４或いはスイッチＳＷ１或いはスイッチＳＷ３との間に双方向で経由する経由情報を出力するようにしてもよいものである。
【００４１】
［データ転送の処理］
次にスイッチによるデータ転送の処理を図５に基づいて説明する。
スイッチ３は他のスイッチ３からのデータ転送の指示があった際に、そのスイッチ３は１台のコントローラ１に問い合わせを行い、データ転送先のスイッチ情報がコントローラ１からあるまで待機する（ステップＳ２１）。
【００４２】
問合せを行ったスイッチ３はコントローラ１から経由情報があったとき、データ転送先が配下の端末２９であるか否かを判断する（ステップＳ２２）。問い合わせた配下の端末２９がデータ転送先である場合、スイッチ３は配下の該当する端末２９にデータを転送する（ステップＳ２３）。
【００４３】
コントローラ１からの経由情報が他のスイッチ３の情報である場合（ステップＳ２４）、他のスイッチ３へのデータ転送を行う（ステップＳ２５）。
【００４４】
［実施形態２］
図６に示すように、１台のコントローラ１は複数のスイッチ３の相互間を接続した通信ネットワーク上でのトラフィック量を監視する監視部１５を有している。
【００４５】
１台のコントローラ１の通知部１４は、前記監視部１５が監視しているトラフィック量の情報を前記トポロジ情報に加え前記トラフィック量に応じて前記複数のスイッチに至る前記経由情報を組み替えて前記スイッチ３に出力する。
【００４６】
この実施形態によれば、スイッチ相互間におけるトラフィック量に応じて複数のスイッチに至る経由情報を組み替えるので、通信ネットワーク２上でのトラフィックを管理することができ、通信ネットワークの一部にトラフィックが集中するのを回避することができる。
【００４７】
なお、図６では監視部１５により、スイッチ相互間におけるトラフィック量を監視して経由情報を決定していたが、これに代えて、監視部１５はスイッチ３の相互間の最短距離を監視し、その監視情報に基づいて前記通知部１４は、前記スイッチ相互間の距離情報に基づいて最短の経由情報を前記スイッチに出力するようにしてもよいものである。
【００４８】
図６の構成によれば、最短距離での経由になるため、データ転送を迅速に行うことができるという利点がある。
【００４９】
以上のように、本発明によれば、１台のコントローラ１は当初スイッチ３の情報を何ら持っておらず、通信ネットワーク２にスイッチ３が接続されると、それをトリガーとして、スイッチ３がＩＰアドレスに自分のＭＡＣアドレスを付加して前記コントローラ１に送信することにより、前記コントローラ１は通信ネットワーク２に接続された複数のスイッチ３の情報であるトポロジ情報を得るものであり、前記コントローラ１は前記トポロジ情報を確保しておき、そのトポロジ情報に基づいて複数のスイッチ３によるデータ転送の経路制御を行うものであるから、不正にアクセスする他人の端末がコントローラに認識することを排除することもでき、セキュリテイを向上させることもできることにある。
【００５０】
本発明は、その本質的特性から逸脱することなく数多くの形式のものとして具体化することができる。よって、上述した実施形態は専ら説明上のものであり、本発明を制限するものではないことは言うまでもない。
【符号の説明】
【００５１】
１    コントローラ
２    通信ネットワーク
３（ＳＷ１〜ＳＷ６）  スイッチ
１２  情報取得部
１３  記憶部
１４  通知部
１５  監視部
２２  発信部
２３  記憶部
２４  データ転送部
【図１】
2015192263.tif 000003
【図２】
2015192263.tif 000004
【図３】
2015192263.tif 000005
【図４】
2015192263.tif 000006
【図５】
2015192263.tif 000007
【図６】
2015192263.tif 000008